(57)【要約】【課題】スイッチング素子により負荷が定電流で駆動され、複数のバイパスコンデンサが共通の配線等に接続される駆動回路において、当該複数のバイパスコンデンサ間のループ電流を低減し、従来よりも輻射ノイズの低減効果を高める。【解決手段】共通のグラウンド線１３に接続され、バイパスコンデンサとして機能する第１コンデンサ４と第２コンデンサ５との間に、これらの間のインピーダンスを増加させるインピーダンス調整部６が設けられた駆動回路とする。これにより、スイッチング素子２のＯＮとＯＦＦとの切替により意図しない高周波電流が生じ、当該高周波電流がコンデンサ４、５を介してグラウンド線１３に伝送されても、インピーダンス調整部６によりコンデンサ４、５を介して周回するループ電流が生じることが抑制される。【選択図】図１
2020057714.tif 000002
【特許請求の範囲】
【請求項１】
負荷（１）を所定の定電流で駆動するための駆動回路であって、
前記負荷への電流の開閉を行うスイッチング素子（２）と、
電源と前記スイッチング素子とを電気的に接続する電源線（１１）と、
前記負荷と前記スイッチング素子とを電気的に接続する出力線（１２）と、
グラウンド電位とされるグラウンド部（１０）および前記負荷に電気的に接続されるグラウンド線（１３）と、
前記電源線と前記グラウンド線または前記グラウンド部との間に介在するように配置され、バイパスコンデンサとして機能する第１コンデンサ（４）と、
前記出力線と前記グラウンド線または前記グラウンド部との間に介在するように配置され、バイパスコンデンサとして機能する第２コンデンサ（５）と、
前記グラウンド部もしくは前記グラウンド線または前記グラウンド部と前記グラウンド線との間に配置され、前記第１コンデンサと前記第２コンデンサとの間のインピーダンスを増加させるインピーダンス調整部（６）と、を備える駆動回路。
【請求項２】
前記インピーダンス調整部は、前記グラウンド部と前記グラウンド線とを電気的に接続するスルーホールである、請求項１に記載の駆動回路。
【請求項３】
前記インピーダンス調整部は、前記グラウンド部の一部であって、前記グラウンド部の残部よりも幅が狭い幅狭部である、請求項１に記載の駆動回路。
【請求項４】
請求項１ないし３のいずれか１つの駆動回路が形成された回路基板。
【発明の詳細な説明】
【技術分野】
【０００１】
本発明は、ソレノイドやモータなどの負荷を駆動するための駆動回路に関するものであって、負荷の駆動制御におけるノイズの発生を抑制する駆動回路および当該回路を備える回路基板に関する。
【背景技術】
【０００２】
従来、ソレノイドなどの負荷を例えばＰＷＭ（Pulse Width Modulationの略）制御などにより所定の定電流で駆動する駆動回路では、トランジスタなどのスイッチング素子のＯＮとＯＦＦとが切り替わる際に意図しない高周波電流が生じることが知られている。この意図しない高周波電流が駆動回路に生じることで、この高周波電流に起因する電波、すなわち輻射ノイズが発生する。輻射ノイズは、当該駆動回路の周囲に配置される他の電子部品などに伝搬すると、誤作動を引き起こす原因となるため、可能な限り低減されることが望ましい。
【０００３】
このような輻射ノイズを低減するためには、例えば特許文献１に記載の発明のように、駆動回路にバイパスコンデンサとして機能するノイズフィルタを設けることが挙げられる。このノイズフィルタは、所定の距離を隔てて隣接する２つのグラウンド用の導電パターンの一部であって、当該一部が残部よりも距離が小さい幅狭部とされ、残部よりも低インピーダンスでこれらの導電パターンを接続し得る容量結合を生じる構成とされる。そのため、このノイズフィルタは、一方のグラウンド用の導電パターンに意図しない高周波電流が重畳した場合に、この高周波電流をより安定な他方のグラウンド用の導電パターンに伝送するバイパスコンデンサとして機能し、輻射ノイズを低減できる。
【先行技術文献】
【特許文献】
【０００４】
【特許文献１】特許−６３７３９１２号公報
【発明の概要】
【発明が解決しようとする課題】
【０００５】
ところで、輻射ノイズの低減用のバイパスコンデンサを備えるＰＷＭ制御用の駆動回路の例としては、例えば図４に示すものが挙げられる。この駆動回路は、図４に示すように、電源Ｓ、トランジスタＴ１、負荷１、コンデンサＣ１、Ｃ２、ダイオードＤ１、電源線１１、出力線１２およびグラウンド線１３を備え、これらが互いに電気的に接続されている。トランジスタＴ１は、図示しないＰＷＭ制御回路に接続され、所定のデューティー比に対応してＯＮとＯＦＦとが切り替えられる。
【０００６】
この駆動回路では、トランジスタＴ１がＯＮの状態の場合、電源線１１からトランジスタＴ１を介して出力線１２により負荷１に電流が流れる。一方、この駆動回路では、トランジスタＴ１がＯＦＦの状態の場合、負荷１のインダクタンス特性に起因する自己誘導作用が生じ、この作用により電流が生じる。この電流は、グラウンド線１３からダイオードＤ１を介して出力線１２に伝わり、負荷１に回帰する。このような構成とされた駆動回路では、ＰＷＭ制御により、所定のデューティー比に対応した定電流で負荷１を駆動することができる。
【０００７】
また、トランジスタＴ１のＯＮとＯＦＦとの切替による意図しない高周波電流に起因したノイズ発生を抑制するため、電源線１１とグラウンド線１３との間にコンデンサＣ１が、出力線１２とグラウンド線１３との間にコンデンサＣ２が配置される。これにより、電源線１１および出力線１２に意図しない高周波電流が生じた場合であっても、コンデンサＣ１、Ｃ２を介してより低インピーダンスで安定したグラウンド線１３に当該高周波電流を逃がすことができるため、輻射ノイズを低減できる。
【０００８】
しかしながら、本発明者らがこの種の駆動回路について鋭意検討した結果、複数のバイパスコンデンサがグラウンド電位とされた共通の配線等に接続された構造において、輻射ノイズの低減効果が十分に得られない場合があることが判明した。
【０００９】
具体的には、例えば上記の駆動回路の例では、高周波電流の一部が、共通のグラウンド線１３に接続されたバイパスコンデンサＣ１、Ｃ２を介して周回する電流（以下「ループ電流」という）が生じ得る。この場合には、バイパスコンデンサＣ１、Ｃ２による輻射ノイズの低減効果が得られる一方で、上記のループ電流による輻射ノイズも新たに生じてしまうため、本来の輻射ノイズの低減効果を十分に得ることができない。
【００１０】
本発明は、上記の点に鑑み、複数のバイパスコンデンサが共通の配線等に接続された駆動回路にてバイパスコンデンサを介したループ電流の発生を抑制し、従来よりも輻射ノイズの低減効果が高い駆動回路およびこれを備える回路基板を提供することを目的とする。
【課題を解決するための手段】
【００１１】
上記目的を達成するため、請求項１に記載の駆動回路は、負荷（１）を所定の定電流で駆動するための駆動回路であって、負荷への電流の開閉を行うスイッチング素子（２）と、電源とスイッチング素子とを電気的に接続する電源線（１１）と、負荷とスイッチング素子とを電気的に接続する出力線（１２）と、グラウンド電位とされるグラウンド部（１０）および負荷に電気的に接続されるグラウンド線（１３）と、電源線とグラウンド線との間に介在するように配置され、バイパスコンデンサとして機能する第１コンデンサ（４）と、出力線とグラウンド線との間に介在するように配置され、バイパスコンデンサとして機能する第２コンデンサ（５）と、グラウンド部もしくはグラウンド線またはグラウンド部とグラウンド線との間に配置され、第１コンデンサと第２コンデンサとの間のインピーダンスを増加させるインピーダンス調整部（６）と、を備える。
【００１２】
かかる構成によれば、スイッチング素子のＯＮとＯＦＦとの切替により意図しない高周波電流が生じても、インピーダンス調整部により第１コンデンサと第２コンデンサの間のインピーダンスが増加しており、バイパスコンデンサ間における電流が抑制される。その結果、複数のバイパスコンデンサがグラウンド電位とされた共通の配線等に接続されつつも、バイパスコンデンサを介した意図しないループ電流が抑制され、従来よりもバイパスコンデンサによる輻射ノイズの低減効果が高い駆動回路となる。
【００１３】
また、請求項２に記載の駆動回路や請求項３に記載の駆動回路のように、インピーダンス調整部がスルーホールやグラウンド電位とされたグラウンド部の一部とされることで、新たな電子部品等を増やすことなく、輻射ノイズの低減効果が高い駆動回路となる。
【００１４】
なお、各構成要素等に付された括弧付きの参照符号は、その構成要素等と後述する実施形態に記載の具体的な構成要素等との対応関係の一例を示すものである。
【図面の簡単な説明】
【００１５】
【図１】第１実施形態の駆動回路の概要を示す図である。
【図２】図１の回路基板の一部を示す上面レイアウト図である。
【図３】図２中のIII-III間の断面構成を示す概略断面図である。
【図４】従来の駆動回路を示す図である。
【図５】図４の回路基板の一部を示す上面レイアウト図である。
【図６】図１の回路基板の変形例を示す上面レイアウト図である。
【図７】図１の回路基板の他の変形例を示す上面レイアウト図である。
【図８】図１の回路基板の他の変形例を示す上面レイアウト図である。
【発明を実施するための形態】
【００１６】
以下、本発明の実施形態について図に基づいて説明する。なお、以下の各実施形態相互において、互いに同一もしくは均等である部分には、同一符号を付して説明を行う。
【００１７】
（第１実施形態）
第１実施形態の駆動回路を備える回路基板（以下「本回路基板」という）について、図１〜図３を参照して述べる。
【００１８】
図２では、後述するコンデンサ４、５の配置を分かり易くするため、断面を示すものではないが、一部にハッチングを施すと共に、別平面に配置された後述するグラウンド部１０を破線で示している。また、図２では、本実施形態の駆動回路（以下「本駆動回路」という）の構成要素をデフォルメして、幅や寸法を誇張したものを示すと共に、後述する負荷１や整流部３については省略している。
【００１９】
本回路基板は、例えば自動車などの車両に搭載され、当該車両の駆動系を制御する電子制御ユニットであるＥＣＵ（Electronic Control Unitの略）などに適用されると好適であるが、他の用途にも適用されてもよい。
【００２０】
本駆動回路は、図１に示すように、負荷１と、スイッチング素子２と、整流部３と、第１コンデンサ４と、第２コンデンサ５と、インピーダンス調整部６と、電源線１１と、出力線１２と、グラウンド線１３とを備え、電源Ｓに接続される。
【００２１】
本駆動回路は、スイッチング素子２がＯＮの状態では、電源Ｓから電源線１１とスイッチング素子２とを介し、出力線１２を通じて負荷１に電流が供給され、グラウンド線１３から電源Ｓへの電流が生じる構成とされる。また、本駆動回路は、スイッチング素子２がＯＦＦの状態では、負荷１の自己誘導作用により生じる電流が、グラウンド線１３からインピーダンス調整部６および整流部３を介して出力線１２に伝送され、出力線１２を通じて負荷１に回帰する構成とされている。
【００２２】
負荷１は、例えばソレノイドやモータなどの任意の電子部品であり、後述する図示しないＰＷＭ制御回路によるスイッチング素子２のＯＮとＯＦＦとの切替により、所定の定電流で駆動させられる。
【００２３】
スイッチング素子２は、例えば、ＭＯＳＦＥＴ（Metal Oxide Semiconductor Field Effect Transistorの略）などの任意のトランジスタである。スイッチング素子２は、図示しない任意のＰＷＭ制御回路からの入力信号に基づいて、ＯＮとＯＦＦとの切替を行うことで、負荷１への電流の開閉を行う。
【００２４】
整流部３は、例えばダイオードであり、スイッチング素子２がＯＦＦの状態において負荷１のインダクタンス特性により生じる電流が、負荷１に回帰するようにし、スイッチング素子２の負荷軽減や負荷１の効率向上のために設けられる。
【００２５】
コンデンサ４、５は、スイッチング素子２のＯＮとＯＦＦとの切替により意図しない高周波電流が生じた際に、当該高周波電流をグラウンド電位とされた配線等（本実施形態では、グラウンド線１３）に伝送するバイパスコンデンサである。
【００２６】
具体的には、電源線１１にはスイッチング素子２がＯＮの状態にのみ電流が生じる一方で、出力線１２ではスイッチング素子２のＯＮとＯＦＦとの切替により電流の変動が繰り返されることにより、様々な周波数の意図しない高周波電流が生じる。この高周波電流は、電源線１１や出力線１２などに重畳されることで輻射ノイズを生じさせ、周囲に配置された他の電子部品の誤作動を誘発する原因となる。この意図しない高周波電流による不具合を抑制するためには、当該高周波電流をより低インピーダンスで安定な電位とされた配線等に逃がすことで排除することが有効であり、コンデンサ４、５は、このような目的で設けられる。
【００２７】
第１コンデンサ４は、図１に示すように、電源線１１とグラウンド線１３との間に介在するように配置され、意図しない高周波電流が電源線１１に生じた場合に、当該高周波電流をグラウンド線１３に伝送する役割を果たす。
【００２８】
第２コンデンサ５は、図１に示すように、出力線１２とグラウンド線１３との間に介在するように配置され、意図しない高周波電流が出力線１２に生じた場合に、当該高周波電流をグラウンド線１３に伝送する役割を果たす。
【００２９】
なお、グラウンド線１３は、本実施形態では、図２もしくは図３に示すように、グラウンド電位とされた導電パターンであるグラウンド部１０に電気的に接続され、グラウンド電位とされている。コンデンサ４、５を介してグラウンド線１３に伝送された意図しない高周波電流は、最終的にはグラウンド部１０に逃がされることとなる。
【００３０】
また、本駆動回路の構成の理解を助けるために、便宜的にコンデンサ４、５がそれぞれ１つ配置された例について説明したが、これに限定されるものではなく、コンデンサ４、５が複数のコンデンサを有した構成とされてもよい。また、コンデンサ４、５の容量などについては、駆動条件などに応じて適宜調整される。
【００３１】
インピーダンス調整部６は、意図しない高周波電流の伝搬を抑制する部位であり、第１コンデンサ４と第２コンデンサ５との間におけるインピーダンスを増加させ、コンデンサ４、５を介したループ電流が生じることを抑制するものである。インピーダンス調整部６は、図１に示すように、グラウンド線１３に接続され、グラウンド電位とされると共に、第１コンデンサ４と第２コンデンサ５との間に配置される。
【００３２】
インピーダンス調整部６は、部品点数の増加に伴うコスト増大を避けるため、本実施形態では、例えば、図３に示すように、スルーホールとされる。具体的には、インピーダンス調整部６は、図３に示すように、基板１００の一面上に形成されたグラウンド線１３と基板１００の他面上に形成されたグラウンド部１０とを接続するスルーホールとされている。インピーダンス調整部６は、このようにグラウンド部１０やグラウンド線１３に比べて、その幅（径）が小さくされており、インピーダンスが増加する形状とされる。
【００３３】
つまり、インピーダンス調整部６は、コンデンサ４、５それぞれから意図しない高周波電流が共通のグラウンド線１３に伝送された際に、第１コンデンサ４と第２コンデンサ５との間における当該高周波電流の伝搬を阻害する。その結果、電源線１１から第１コンデンサ４を介してグラウンド線１３に伝搬した高周波電流が、第２コンデンサ５を介して出力線１２に伝送されたり、その逆の流れが生じたりすることが阻害され、コンデンサ４、５を介したループ電流の発生が抑制される。
【００３４】
なお、インピーダンス調整部６は、負荷１の自己誘導作用により生じる電流が整流部３に向かうことを妨げないように、グラウンド部１０またはグラウンド線１３を構成する配線材料と同じ材料により構成されることが好ましい。このようなインピーダンス調整部６は、任意の配線形成工程などにより形成され得る。
【００３５】
以上が、本駆動回路の基本的な構成である。
【００３６】
次に、本駆動回路を備える回路基板における具体的な配線例とこれによる輻射ノイズの低減効果について説明する。
【００３７】
まず、対比のため、従来の駆動回路を備える回路基板（以下「従来の回路基板」という）における配線例について、図４、図５を参照して説明する。
【００３８】
図５では、第１のコンデンサＣ１および第２のコンデンサＣ２が接続された部位とその周辺を示しており、図４における負荷１やダイオードＤ１については省略している。また、図５では、コンデンサＣ１、Ｃ２の配置を分かり易くするため、断面を示すものではないが、ハッチングを施している。
【００３９】
従来の回路基板は、図５に示すように、電源Ｓに接続された電源線１１とグラウンド部１０との間に２つのコンデンサＣ１ａ、Ｃ１ｂで構成される第１のコンデンサＣ１が介在した構成とされている。また、この回路基板は、図５で示す平面と異なる平面において電源線１１と電気的に接続されたトランジスタＴ１が、出力線１２に接続されると共に、出力線１２には第２のコンデンサＣ２が接続されている。第２のコンデンサＣ２は、第１のコンデンサＣ１が接続されたグラウンド部１０に接続されている。このグラウンド部１０は、図５には図示しないダイオードＤ１に接続されており、グラウンド線１３としても機能する。トランジスタＴ１は、図５に示す入力端子を介して図示しないＰＭＷ制御回路と接続されており、任意のデューティー比に対応してＯＮとＯＦＦとの切替がなされる。
【００４０】
この回路基板は、トランジスタＴ１がＯＮの状態では、負荷１に電源ＳからトランジスタＴ１を介して電流が供給され、トランジスタＴ１がＯＦＦの状態では、負荷１により生じる電流がダイオードＤ１を通じて負荷１に回帰する。このトランジスタＴ１のＯＮとＯＦＦとの切替により、電源線１１や出力線１２に意図しない高周波電流が生じる。当該高周波電流のうち電源線１１に生じるものについては、コンデンサＣ１を介して、出力線１２に生じるものについては、コンデンサＣ２を介して、グラウンド部１０（グラウンド線１３）に伝送される。
【００４１】
ここで、本発明者らは、上記のように、複数のバイパスコンデンサが共通のグラウンド電位とされた配線等に接続された駆動回路においては、輻射ノイズの低減効果が十分に得られないことを発見した。
【００４２】
具体的には、従来の駆動回路は、図５に示すように、コンデンサＣ１、Ｃ２が共通のグラウンド部１０に接続されており、コンデンサＣ１またはＣ２から伝送された意図しない高周波電流の一部が他方のコンデンサに伝達される。そして、他方のコンデンサに伝達された当該高周波電流の一部が、電源線１１または出力線１２に伝送され得る。この場合、高周波電流の一部が、電源線１１、コンデンサＣ１、グラウンド部１０、コンデンサＣ２、出力線１２の順またはその逆の順に伝搬されることで、意図しないループ電流となり、新たな輻射ノイズの発生原因となり得る。つまり、単に、複数のバイパスコンデンサが共通の配線等に接続された従来の駆動回路は、コンデンサによる輻射ノイズの低減と、ループ電流による輻射ノイズの発生と、の２つの現象が生じ、輻射ノイズの低減効果が抑制されてしまう。
【００４３】
ここで、車載用途の電子部品から放射される輻射ノイズ、すなわち不要輻射（ＥＭＩ）を評価する方法として、例えばＣＩＳＰＲ２５規格が挙げられる。本発明者らは、図４に示す従来の駆動回路を備える回路基板について、ＣＩＳＰＲ２５規格に準拠した方法により不要輻射レベル（以下「ノイズレベル」という）を測定し、バイパスコンデンサを有しない駆動回路のそれとの比較を行った。その結果、従来の回路基板では、最もノイズレベルが高いのは周波数９９８ｋＨｚであり、当該周波数でのノイズレベルは５２ｄＢｕＶ／ｍであった。
【００４４】
本発明者らは、鋭意検討の結果、複数のバイパスコンデンサが共通の配線等に接続された回路であって、上記したループ電流を低減し、不要輻射を抑制できるものとして、複数のバイパスコンデンサ間にインピーダンス調整部６を設けた本駆動回路をなすに至った。
【００４５】
続いて、本実施形態の駆動回路を備える回路基板での配線例とそのノイズレベルの低減効果について説明する。なお、本回路基板が、第２コンデンサ５の配置および第１コンデンサ４と第２コンデンサ５との間の配線接続を除き、従来の回路基板と同じ構成とされているため、ここでは、その相違点について主に説明する。
【００４６】
本回路基板は、図２に示すように、グラウンド線１３のうち第１コンデンサ４が接続された部分と第２コンデンサ５が接続された部分とが、平面視にて連続的に接続されておらず、これらが形状的には独立した構成とされている。以下、グラウンド線１３を構成する２つの部分を区別するため、便宜的に、グラウンド線１３のうち第１コンデンサ４が接続された部分を「グラウンド線１３１」と称し、他方を「グラウンド線１３２」と称する。
【００４７】
グラウンド線１３１、１３２には、図２および図３に示すように、それぞれインピーダンス調整部６としてのスルーホールが形成されている。グラウンド線１３１、１３２は、図３に示すように、インピーダンス調整部６を介して、グラウンド線１３とは別平面に配置されたグラウンド部１０と電気的に接続され、グラウンド電位とされている。
【００４８】
本回路基板は、スイッチング素子２のＯＮとＯＦＦとの切替により、意図しない高周波電流が生じた場合、その一部が第１コンデンサ４を介してグラウンド線１３１に伝送され、第２コンデンサ５を介してグラウンド線１３２に伝送される。コンデンサ４、５を介してグラウンド線１３１、１３２に伝送された高周波電流は、最終的にグラウンド部１０に伝送される。
【００４９】
本回路基板は、コンデンサ４、５の間に配線幅が他の部位よりも細く、他の配線部分よりも抵抗が高い形状とされたインピーダンス調整部６が配置された構成とされている。このインピーダンス調整部６は、グラウンド線１３１、１３２およびグラウンド部１０に比べてインピーダンスが大きいため、グラウンド部１０に伝送された高周波電流がグラウンド線１３１または１３２に伝搬することを抑制する役割を果たす。その結果、高周波電流が、コンデンサ４、５を介して電源線１１、出力線１２およびグラウンド線１３を周回するループ電流が生じることが抑制され、新たな輻射ノイズが生じにくい駆動回路となる。
【００５０】
本発明者らが本駆動回路を備える回路基板について、上記の方法によりノイズレベルの測定を行った結果、最もノイズレベルが高いのは周波数５１９．６ｋＨｚであり、当該周波数でのノイズレベルは３９ｄＢｕＶ／ｍであった。この結果は、インピーダンス調整部６を設けることにより、従来よりもノイズレベルが抑制され、輻射ノイズの低減効果が高い駆動回路となることを示唆している。
【００５１】
本実施形態によれば、複数のバイパスコンデンサが共通の配線等に接続されつつも、当該複数のバイパスコンデンサを介したループ電流が生じることが抑制され、従来よりも輻射ノイズの低減効果の高い駆動回路となる。また、本駆動回路は、インピーダンス調整部６がスルーホールとされていることから、他の電子部品等を追加する必要がなく、コスト増加を抑制する構成となる。このような駆動回路を備える回路基板は、コスト増加を避けつつ、従来よりも輻射ノイズの発生が抑制された回路基板となる。
【００５２】
（第１変形例）
次に、上記第１実施形態の駆動回路の第１変形例について、図６を参照して説明する。
【００５３】
図６では、図２と同様に、コンデンサ４、５の配置を分かり易くするため、断面を示すものではないが、一部にハッチングを施すと共に、別平面に配置されたグラウンド部１０を破線で示している。また、図６では、駆動回路の構成要素をデフォルメして、幅や寸法を誇張したものを示すと共に、負荷１や整流部３については省略している。
【００５４】
図６に示す第１変形例の駆動回路は、第２コンデンサ５およびグラウンド部１０の配置が図２に示す配線例と異なるが、第１コンデンサ４と第２コンデンサ５との間の配線接続については図２の配線例と同じである。そのため、第１変形例であっても、上記第１実施形態と同様の効果が得られる。
【００５５】
（第２変形例）
次に、上記第１実施形態の駆動回路の第２変形例について、図７を参照して説明する。図７では、配線の厚み方向において異なる位置に配置された第２コンデンサ５およびグラウンド部１０を破線で示すと共に、図２と同様に、断面を示すものではないが、一部の構成要素にハッチングを施している。また、図７では、駆動回路の構成要素をデフォルメして、幅や寸法を誇張したものを示すと共に、負荷１や整流部３については省略している。
【００５６】
図７に示す第２変形例では、第２コンデンサ５は、図７に示す平面と異なる平面において出力線１２と電気的に接続されると共に、グラウンド線１３と異なる平面に配置されたグラウンド部１０に直接接続されている。言い換えると、第２変形例は、第２コンデンサ５とグラウンド部１０との間に、グラウンド線１３１およびインピーダンス調整部６が介在していない点で第１変形例と相違するが、他の点については第１変形例と同様の構成とされている。
【００５７】
第２変形例の駆動回路は、上記第１実施形態の駆動回路と同様に、第１コンデンサ４が直接接続されたグラウンド線１３とグラウンド部１０との間にインピーダンス調整部６が介在する構成とされている。そのため、第２変形例では、第２コンデンサ５を介してグラウンド部１０に伝送された高周波電流は、その後グラウンド線１３に伝送されることが抑制される。
【００５８】
したがって、第２変形例であっても、コンデンサ４、５を介したループ電流が生じることが抑制され、上記第１実施形態と同様の効果が得られる。
【００５９】
（第３変形例）
次に、上記第１実施形態の駆動回路の第３変形例について、図８を参照して説明する。図８では、図２と同様に、断面を示すものではないが、一部の構成要素にハッチングを施し、駆動回路の構成要素をデフォルメして、幅や寸法を誇張したものを示すと共に、負荷１や整流部３については省略している。
【００６０】
第３変形例の駆動回路は、図５に示す従来の駆動回路と同様に、コンデンサ４、５が共に共通のグラウンド部１０に直接接続されている一方で、グラウンド部１０の一部が残部よりも幅が狭い幅狭部とされた構成とされている。
【００６１】
以下、説明の簡略化のため、図８に示すように、グラウンド部１０のうち幅狭部を隔てた２つの領域であって、第１コンデンサ４に接続された領域を「グラウンド部１０１」と称し、第２コンデンサ５に接続された領域を「グラウンド部１０２」と称する。
【００６２】
本変形例では、この幅狭部がグラウンド部１０の他の部位よりも抵抗が大きくなるため、インピーダンス調整部６として機能する。
【００６３】
具体的には、第１コンデンサ４を介してグラウンド部１０１に伝送された高周波電流は、幅狭部を通じてグラウンド部１０２に伝送されることが抑制される。同様に、第２コンデンサ５を介してグラウンド部１０２に伝送された高周波電流は、幅狭部を通じてグラウンド部１０１に伝送されることが抑制される。
【００６４】
そのため、本変形例においても、コンデンサ４、５を介したループ電流の発生およびこれによる輻射ノイズの発生が抑制され、上記第１実施形態と同様の効果が得られる。
【００６５】
（他の実施形態）
なお、上記した各実施形態に示した駆動回路およびこれを備える回路基板は、本発明の駆動回路およびこれを備える回路基板の一例を示したものであり、上記の各実施形態に限定されず、特許請求の範囲に記載した範囲内において適宜変更が可能である。
【００６６】
例えば、インピーダンス調整部６は、スルーホールとされる場合、グラウンド部１０とグラウンド線１３とを電気的に接続できればよく、基板１００を貫通する形状に限定されず、任意の形状とされ得る。また、インピーダンス調整部６は、その数量や配置については任意である。また、インピーダンス調整部６は、グラウンド部１０の一部（幅狭部）とされる場合、その寸法、配置や数などについては任意である。
【００６７】
また、コンデンサ４、５のほか、バイパスコンデンサとしての他のコンデンサが共通の電位とされたグラウンド１０またはグラウンド線１３にさらに接続されていてもよい。この場合、インピーダンス調整部６は、複数のバイパスコンデンサが接続された共通の配線等のうち各バイパスコンデンサが接続された部分同士の間に介在するように配置されていればよい。
【００６８】
上記第１実施形態や第１変形例ないし第３変形例は、適宜組み合わせられてもよいことは言うまでもない。
【符号の説明】
【００６９】
１      負荷
２      スイッチング素子
３      整流部
４、５  コンデンサ
６      インピーダンス調整部
１０    グラウンド部
１１    電源線
１２    出力線
１３    グラウンド線
【図１】
2020057714.tif 000003
【図２】
2020057714.tif 000004
【図３】
2020057714.tif 000005
【図４】
2020057714.tif 000006
【図５】
2020057714.tif 000007
【図６】
2020057714.tif 000008
【図７】
2020057714.tif 000009
【図８】
2020057714.tif 000010